(57)【特許請求の範囲】
【請求項１】
キャリアセンス回路を備える受信部と、音量調整回路を備える音声出力部と、ＰＴＴスイッチを備える送信部とを備えた無線通信機において、
前記キャリアセンス回路がキャリアセンスすることで、混信防止のために前記送信部からの送信を禁止すべき状態で、前記ＰＴＴスイッチに予め定める操作が行われると、前記音量調整回路に、前記音声出力部が出力する音声信号の音量を設定値から低下させ、その後に前記キャリアセンスした通話が終了すると、前記音量調整回路の音量を設定値に復帰させる音量制御手段を含むことを特徴とする無線通信機。
【請求項２】
前記予め定める操作は、前記ＰＴＴスイッチの複数回の短押しであることを特徴とする請求項１記載の無線通信機。
【請求項３】
前記ＰＴＴスイッチは、該無線通信機の本体に連結されるタイピンマイクのケーブルの途中、またはタイピンマイク自体に設けられていることを特徴とする請求項１または２記載の無線通信機。
【請求項４】
前記送信部および受信部は、グループ通話機能を備えていることを特徴とする請求項１〜３の何れか１項に記載の無線通信機。
【請求項５】
前記音量制御手段は、前記キャリアセンスした通話の継続中に、前記予め定める操作または予め定める他の操作が行われると、前記音量調整回路の音量を前記設定値に復帰させることを特徴とする請求項１〜４の何れか１項に記載の無線通信機。
【請求項６】
キャリアセンス回路を備える受信部と、音量調整回路を備える音声出力部と、ＰＴＴスイッチを備える送信部とを備えた無線通信機の音量調整方法において、
音量制御手段を備え、該音量制御手段は、
前記キャリアセンス回路がキャリアセンスすることで、混信防止のために前記送信部からの送信を禁止すべき状態か否かを検出する第１のステップと、
前記第１のステップでキャリアセンスしていることが検出されると、前記ＰＴＴスイッチに予め定める操作が行われたか否かを検出する第２のステップと、
前記第２のステップで予め定める操作が行われると、前記音量調整回路に、前記音声出力部が出力する音声信号の音量を設定値から低下させる第３のステップと、
前記第３のステップで音量を設定値から低下させている状態で、前記キャリアセンスした通話が終了したか否かを検出する第４のステップと、
前記第４のステップで通話が終了していると、前記音量調整回路の音量を設定値に復帰させる第５のステップとを行うことを特徴とする無線通信機の音量調整方法。
【発明の詳細な説明】
【技術分野】
【０００１】
本発明は、無線通信機に関し、特に受信待ち受け状態における音量調整に関するものである。
【背景技術】
【０００２】
無線通信機は、様々な用途で使用され、その使用形態も、個別呼出しによる１対１の通話だけでなく、グループ通話機能を備えているものもある。このグループ通話機能は、同じ内容を同時に複数の使用者に通知する場合や、複数の使用者間で意見を交換する場合などでは有効である。しかしながら、グループ通話機能は、グループ登録していれば、グループ内の通話が、総て聞こえてしまうことになる。
【０００３】
そのため、自身に関係の無い通話が耳障りになる場合、音量を小さくするなどの操作が行われる。たとえば、該無線通信機が販売業や飲食業などのサービス業の接客業務で使用される場合、使用者が顧客対応中に、無線通信機上での他者同士の通話が耳に入る場合や、自身宛ての呼出しであっても、急ぎでない場合や、顧客との話が重要な（優先すべき）場合に、音量を小さくするなどである。
【０００４】
しかしながら、顧客対応が終了しても、無線通信機の音量を小さくしたまま放置してしまうと、自機宛ての呼出しに気付かない可能性がある。
【０００５】
そこで、呼出し音の聞き逃しを防止するために、たとえば特許文献１では、ＰＴＴスイッチ（プッシュ・トゥ・トークスイッチの略であり、プレス・トークスイッチ或いは送信開始スイッチとも言う）が操作されている間は、使用者が近くに居るものと判断してスピーカの音量を小さくし、ＰＴＴスイッチが操作されない待ち受け時は、スピーカ音量を大きくするようにしたプレストーク式の無線機が示されている。
【０００６】
同様に、特許文献２も、ＰＴＴスイッチの押し下げをトリガにして、押し下げられると使用者の顔が近くにあるものと判断して、所定時間音量を小さくし、所定時間が経過すると、使用者が離れているものと判断して音量を大きくするようにした無線通信端末が示されている。
【先行技術文献】
【特許文献】
【０００７】
【特許文献１】特開平５−３７４１７号公報
【特許文献２】特開２００８−１９３５７１号公報
【発明の概要】
【発明が解決しようとする課題】
【０００８】
上述の従来技術は、何れも、ＰＴＴスイッチの操作から受信音量を自動的に調整しており、上述のような音量の調整（戻し）忘れは生じない。しかしながら、ＰＴＴスイッチの操作のみでの判断であるので、上述のように、使用者が近くに居るか否か程度の状況にしか適合できない。
【０００９】
本発明の目的は、使用者の状況に応じて適切に音量調整を行うことができる無線通信機およびその音量調整方法を提供することである。
【課題を解決するための手段】
【００１０】
本発明の無線通信機およびその音量調整方法によれば、受信部で受信・復調した音声信号を、音声出力部における音量調整回路でレベル調整し、低周波増幅してスピーカやイヤホンから再生するとともに、送信部では、マイクロホンで収音した音声信号を変調および高周波増幅して送信するようにした無線通信機において、前記音量調整回路における音量調整は、ボリウムツマミやボリウムアップダウンスイッチの操作などで行われるが、その音量設定値を、受信部のキャリアセンス回路の状態および送信部のＰＴＴスイッチの操作に応答して、一時的に低下させる音量制御手段を設ける。
【００１１】
詳しくは、音量制御手段は、キャリアセンス回路がキャリアセンスしている状態、すなわち他機が送信していて自機が受信状態にあり、混信防止のために自機の送信部からの送信を禁止すべき状態で、自機からの送信時に操作されるＰＴＴスイッチに予め定める操作が行われると、前記音量調整回路に、音声出力部から出力する音声信号の音量を設定値から低下させる。前記音量の低下は、その時点のボリウム設定値から所定レベル、たとえば２０ｄＢ低下させたり、無音までミュートを掛けたりすることで実現することができる。ただし、その後に前記キャリアセンス回路でキャリアセンスした通話の終了が判定される、たとえば他機が送信を終了してキャリアが検出されなくなって所定時間が経過すると、前記音量制御手段は、前記音量調整回路の音量を設定値に復帰させる。
【００１２】
したがって、たとえば該無線通信機が販売業や飲食業などのサービス業の接客業務で使用され、使用者が顧客対応中に、優先度の低い通話があった場合に、前記ＰＴＴスイッチに予め定める操作を行うことで、受信音量を低下させ、顧客との対話に集中することができる。一方、前記の優先度の低い通話が終了すると、前記音量低下状態は自動的に解除され、設定音量での再生が可能になるので、手動で音量調整を行った場合のように、音量を戻し忘れて、自身への呼び出しに応答しなかったり、重要な通話を聞き逃してしまうような不具合もない。こうして、使用者の状況に応じて適切に受話音量調整を行い、またその調整の解除忘れも防止し、無線通信機の利便性を向上することができる。
【００１３】
また、本発明の無線通信機によれば、上述のように、キャリアセンス回路がキャリアセンスしている状態では、自機からの送信は禁止されているので、通常はＰＴＴスイッチは操作されない。そこで、前記予め定める操作として、そのＰＴＴスイッチを短押しで、しかも複数回続けて操作する。
【００１４】
したがって、誤操作ではないことを明確にすることができる。
【００１５】
さらにまた、本発明の無線通信機によれば、無線通信機の本体にケーブルを介してタイピンマイクを連結することで、使用者は、通話の際に無線通信機の本体を口元まで持って来なくてもよく、イヤホンも連結することで、無線通信機は顔から離して、腰などに吊下げておくことが可能になる。そして、前記の複数回の短押しなどのＰＴＴスイッチの予め定める操作を行うにあたって、無線通信機の本体のＰＴＴスイッチに代えて、ＰＴＴスイッチがケーブルの途中やタイピンマイク自体に設けられている場合、そちらを使用するようにする。
【００１６】
したがって、前記予め定める操作を容易に行うことができる。
【００１７】
また、本発明の無線通信機によれば、前記送信部および受信部は、グループ通話機能を備えている。
【００１８】
したがって、個別呼出し機能で呼出された場合は、自機への通話であるので、確認する必要性は高いが、グループ通話機能を備えている場合、グループ内の総ての通話が聞こえるので、自機に関係の無い通話も多く、上述のような予め定める操作による音量の低下および自動復帰機能は、特に有効である。
【００１９】
さらにまた、本発明の無線通信機によれば、前記音量制御手段は、前記キャリアセンスした通話の継続中に、前記予め定める操作または予め定める他の操作が行われると、前記音量調整回路の音量を前記設定値に復帰させるので、先の予め定める操作が誤操作であった場合や、自身の顧客対応が終了すると、意識的に（強制的に）、音量を復帰させることも可能になる。
【発明の効果】
【００２０】
本発明に係る無線通信機およびその音量調整方法によれば、音量制御手段が、キャリアセンス回路がキャリアセンスしている状態、すなわち他機が送信している状態で、自機からの送信時に操作されるＰＴＴスイッチに予め定める操作が行われると、音量調整回路に、音声出力部から出力する音声信号の音量を設定値から低下させ、その後に前記キャリアセンス回路でキャリアセンスした通話の終了が判定されると、前記音量調整回路の音量を設定値に復帰させる。
【００２１】
それゆえ、使用者が顧客対応中に、優先度の低い通話があった場合に、前記ＰＴＴスイッチに予め定める操作を行うことで、受話音量を低下させ、顧客との対話に集中することができ、通話が終了すると、前記音量低下状態は自動的に解除され、設定音量での再生が可能になるので、手動で音量調整を行った場合のように、音量を戻し忘れて、自身への呼び出しに応答しなかったり、重要な通話を聞き逃してしまうような不具合が無くなり、使用者の状況に応じて適切に音量調整を行うことができる。
【図面の簡単な説明】
【００２２】
【図１】本発明の実施の一形態に係る無線通信機の電気的構成を示すブロック図である。
【図２】前記無線通信機における無線機本体の斜視図である。
【図３】前記無線通信機におけるイヤホンマイクセットの斜視図である。
【図４】前記イヤホンマイクセットの使用状態を示す図である。
【図５】本発明の実施の一形態に係る無線通信機の音量調整方法を説明するためのフローチャートである。
【発明を実施するための形態】
【００２３】
図１は、本発明の実施の一形態に係る無線通信機１の電気的構成を示すブロック図である。この無線通信機１は、無線機本体２に、イヤホンマイクセット３を備えて構成される。イヤホンマイクセット３は、オプション品であり、無線機本体２に触れることなく、該イヤホンマイクセット３から送話および受話を可能にするものであり、利便性を高めるために適宜購入されるものである。したがって、このイヤホンマイクセット３を用いることで、使用者は、送話のために無線機本体２を口元に持って行ったり、受話のために無線機本体２を耳元にかざしたりする必要はなく、たとえば販売業や飲食業などのサービス業の接客業務で使用されると、顧客対応の質を高めることができる。
【００２４】
図２は無線機本体２の斜視図であり、図３はイヤホンマイクセット３の斜視図である。図２を参照して、無線機本体２は、防塵性や、防水性或いは日常生活防水の機能を適宜有する筐体２０の正面に、マイクロホン２１およびスピーカ２２を備えている。また、筐体２０の正面には、表示パネル２３や操作部２４を備えている。筐体２０の上面には、アンテナ２５が立設されるとともに、操作ツマミ２６およびジャック２７が設けられている。筐体２０の背面にはフック２８が設けられ、側面にはＰＴＴスイッチ２９が設けられている。また、筐体２０の底面には、電池を出し入れする蓋が設けられている。
【００２５】
操作ツマミ２６は、時計回りに操作することができ、最も左回転した状態で電源がＯＦＦであり、右回転させると、電源がＯＮになり、さらに回転させることで音量が大きくなってゆく。ジャック２７は、前記イヤホンマイクセット３のプラグが差し込まれるものであり、本実施形態では、防塵・防水のためにカバーが被せられており、図２ではそのカバーが表れている。カバーは、その係止片２７１が、アンテナ２５の基端部に係止されている。フック２８は、使用者のベルトなどに該無線機本体２を引っ掛けるために使用されるものであり、その上端部には、適宜首からぶら下げるなどの対応が可能なベルト通し孔２８１が設けられている。
【００２６】
表示パネル２３は、使用チャネルや所属グループの番号、電池残量などを表示するものである。操作部２４は、個別モードとグループモードとを切り換えたり、チャネル切換えを行ったりするものである。
【００２７】
図４は、前記イヤホンマイクセット３の使用状態を示す図である。図３および図４を参照して、イヤホンマイクセット３は、マイクコントローラ３１と、イヤホン３２とを備えて構成される。イヤホン３２は、使用者４の耳４１に装着されるイヤホン本体３２１と、プラグ３２２と、それらの間を連結するコード３２３とを備えて構成されており、プラグ３２２がマイクコントローラ３１のジャック３１１から着脱自在である。
【００２８】
マイクコントローラ３１は、タイピンマイクを構成し、筐体３１０の上部にマイクロホン３１２が設けられるともに、正面にはＰＴＴスイッチ３１３が設けられ、背部にはクリップ３１４が設けられている。クリップ３１４と筐体３１０との間に、使用者４のシャツの襟を挟み込むなどして、該マイクコントローラ３１を使用者４の口元に配置することができる。筐体３１０の底部には、前記ジャック３１１が設けられるとともに、ケーブル３１５が伸びており、そのケーブル３１５の先端に設けられたプラグ３１６が無線機本体２のジャック２７に嵌着される。こうして、イヤホンマイクセット３を用いることで、前述のように、使用者４は無線機本体２に触れることなく、送受信が可能になる。
【００２９】
図１を参照して、無線機本体２は、前記アンテナ２５と、共用器５と、受信部６と、音声出力部７と、送信部８と、本発明に係る音量制御部９とを備えて構成される。この図１において、表示パネル２３や操作部２４ならびに電源は省略している。共用器５は、ＰＴＴスイッチ２９，３１３の操作に応答して、アンテナ２５に、受信部６と送信部８との何れを接続するかを切換え、アンテナ２５を送受信に共用可能にするものである。
【００３０】
アンテナ２５の受信信号は、共用器５から受信部６に入力され、高周波アンプ６１で増幅され、同調回路６２において選択されているチャネルの成分のみが抽出された後、検波・復調回路６３において音声信号が復調される。復調された音声信号は、音声出力部７に入力されて、メカボリウム２６１において音量調整され、さらに電子ボリウム７１において音量調整され、低周波アンプ７２で増幅された後、切換えスイッチ７３を介して、スピーカ２２またはイヤホン３２から音声出力される。
【００３１】
切換えスイッチ７３は、音声出力を、スピーカ２２とイヤホン３２との何れから行うかを切換えるものであり、該切換えスイッチ７３は、無線機本体２のジャック２７にイヤホンマイクセット３のプラグ３１６が、嵌着されていない状態では、無線機本体２の内蔵スピーカ２２側に導通し、嵌着されると、そのプラグ３１６の挿入に応答して、外部のイヤホン３２側に導通する。
【００３２】
メカボリウム２６１は、操作ツマミ２６に組み込まれており、前述のように音量調整を行う可変抵抗器などで実現され、その操作ツマミ２６には、該無線機本体２の電源をＯＮ／ＯＦＦする電源スイッチ２６２が併設されている。
【００３３】
一方、電子ボリウム７１は、音量調整回路を構成し、無線機本体２の外部から操作できないもので、後述する音量制御部９のみで制御が可能になる。電子ボリウム７１の抵抗値は、通常は０に近く、すなわちメカボリウム２６１からの音声信号をそのままスルーしており、後述するように、音量制御部９から音量低下信号が入力されると、前記音声信号を、所定レベル、たとえば２０ｄＢ（１／１０レベルに）減衰したり、完全に消音（前記抵抗値が無限大）するミュート状態にして、低周波アンプ７２へ出力する。
【００３４】
送信部８では、内蔵マイクロホン２１または外部マイクロホン３１２からの音声信号が、切換えスイッチ８１で何れかが選択されて、低周波アンプ８２に入力されて増幅される。低周波アンプ８２からの音声信号は、変調回路８３において、指定のチャネルの信号に変調され、高周波アンプ８４で増幅された後、共用器５を介してアンテナ２５から送信される。切換えスイッチ８１も、切換えスイッチ７３と同様に、無線機本体２のジャック２７にイヤホンマイクセット３のプラグ３１６が嵌着されているか否かによって、上述のようにマイクロホンを外部（３１２）と内蔵（２１）とに切換えるものである。
【００３５】
図３で示すように、プラグ３１６は４端子で、イヤホン３２側の一対のプラグ端子３１６１と、マイクロホン３１２側の一対のプラグ端子３１６２とを備え、これに対応してジャック２７も、イヤホン３２側のジャック端子２７１と、マイクロホン３１２側のジャック端子２７２とを備えており、それらの間は個別のケーブル３１５１，３１５２で接続される。
【００３６】
マイクロホン２１，３１２の信号経路には、それぞれＰＴＴ２９，３１３の信号が重畳されるようになっている。そして、送信部８内の送受切換え部８５が、その信号を受信し、共用器５にアンテナ２５の接続を、受信部６側とするか、送信部８側とするかを切換えさせる。
【００３７】
受信部６内には、キャリアセンス回路６４が、さらに設けられている。キャリアセンス回路６４は、同調回路６２において、選択チャネルのキャリアの電界強度が所定値以上となっていると、他局が送信を行っていると判断し、混信防止のために、自局が送信しないようにする。詳しくは、キャリアセンスは、自局が指定したチャネルに、（所定電界強度レベル以上の）キャリアが検出されるか否かで行われ、キャリアセンス回路６４は、キャリアが検出されなくなってから、所定時間、たとえば２秒経過した時点で終話と判断する。送信の禁止は、ＰＴＴ２９，３１３のプッシュ操作に対して行われ、キャリアセンス状態で、プッシュ操作が行われると、キャリアセンス回路６４が、たとえば高周波アンプ８４を動作させなかったり、ゲインを０のままで保持したりすることで行うことができる。
【００３８】
上述のように構成される無線通信機１において、注目すべきは、本実施形態の音量制御部９は、キャリアセンス回路６４がキャリアセンスし、混信防止のために上述のように送信部８からの送信が禁止されている状態で、ＰＴＴスイッチ２９，３１３に予め定める操作が行われると、電子ボリウム７１に、音声出力部７が出力する音声信号の音量を、一時的に低下させることである。詳しくは、音量制御部９は、キャリアセンス回路６４がキャリアセンスしている状態、すなわち他機が送信していて自機が受信状態にあり、混信防止のために自機の送信部８からの送信を禁止すべき状態で、自機からの送信時に操作されるＰＴＴスイッチ２９，３１３に予め定める操作が行われると、電子ボリウム７１に、音量低下信号を送信し、音声出力部７から出力する音声信号の音量を設定値から低下させたり、ミュートを掛けたりする。ただし、その後に前記キャリアセンス回路６４でキャリアセンスした通話の終了が判定される、たとえば他機が送信を終了してキャリアが検出されなくなった状態が２秒経過すると、音量制御部９は、前記音量低下信号の送信を停止し、電子ボリウム７１の音量を設定値に復帰させる。
【００３９】
音量制御部９が、このＰＴＴ操作による音量低下信号を発生すると、電子ボリウム７１は、前記音声信号を、たとえば２０ｄＢ（１／１０レベルに）減衰して低周波アンプ７２へ出力し、前記音量低下信号が無くなると、０ｄＢ（スルー状態）に復帰する。前記ＰＴＴスイッチ２９，３１３の予め定める操作は、誤操作を防止するために、短押しを複数回、たとえば２〜３回が好ましい。短押しとは、長押しとの対比で、各個人の感覚で異なるものであるが、たとえば１秒未満のプッシュ操作とする。
【００４０】
上述の処理手順を示すと、図５の通りである。音量制御部９は、ステップＳ１で、キャリアセンス回路６４でキャリアセンスされるまで待機し、キャリアセンスされると、ステップＳ２で、ＰＴＴスイッチ２９，３１３が複数回短押しされるまで待機し、短押しされるとステップＳ３に移る。ステップＳ３では、音量制御部９は、電子ボリウム７１に音声信号の音量を低下させる。その後、ステップＳ４では、音量制御部９は、キャリアセンス回路６４で通話の終了が判定されるまで待機し、通話が終了すると、ステップＳ５で、電子ボリウム７１の音量を設定値に復帰させて処理を終了する。
【００４１】
このように構成することで、たとえば該無線通信機１が販売業や飲食業などのサービス業の接客業務で使用され、使用者が顧客対応中に、優先度の低い通話があった場合に、ＰＴＴスイッチ２９，３１３に予め定める操作を行うことで、受話音量を低下させたり、ミュートを掛けたりして、顧客との対話に集中することができる。一方、前記の優先度の低い通話が終了すると、前記の音量低下状態は自動的に解除され、設定音量での再生が可能になるので、手動で音量調整を行った場合のように、音量を戻し忘れて、自身への呼び出しに応答しなかったり、重要な通話を聞き逃してしまうような不具合もない。こうして、使用者の状況に応じて適切に音量調整を行い、またその調整の解除忘れも防止し、無線通信機１の利便性を向上することができる。
【００４２】
また、その音量低下やミュートを掛ける予め定める操作として、キャリアセンスされている状態では、自機からの送信を禁止すべきであることを利用して、通常は操作されないＰＴＴスイッチ２９，３１３を使用し、しかもそのＰＴＴスイッチ２９，３１３を短押しで、複数回続けて操作することとするので、誤操作ではないことを明確にすることができる。特に、短押しを２〜３回とすることで、最少限の操作で、誤操作のおそれもなく、好適である。
【００４３】
一方、ステップＳ４で通話が継続している状態であっても、ステップＳ６で、再びＰＴＴスイッチ２９，３１３が複数回短押しされると、ステップＳ５に移って、電子ボリウム７１の音量を設定値に復帰させ、短押しされないと、前記ステップＳ４に戻る。これによって、ステップＳ２の操作が誤操作であった場合や、自身の顧客対応が終了すると、意識的に（強制的に）、音量を復帰させることもできる。この復帰操作は、前記の音量低下やミュートを掛ける予め定める操作と同じ操作であってもよく、また他の操作、たとえば１回の短押しであってもよいが、同じ操作が、使用者の慣れや覚え込み易さから、好ましい。
【００４４】
さらにまた、無線通信機１の無線機本体２にケーブル３１５を介して、タイピンマイクとなるマイクコントローラ３１を連結することで、使用者は、通話の際に、無線機本体２を口元まで持って来なくてもよく、イヤホン３２も連結することで、無線機本体２は顔から離して、腰などに吊下げておき、通話の際に該無線機本体２に触れることなく送受信が可能になる。そして、前記の複数回の短押しなどのＰＴＴスイッチ２９，３１３の予め定める操作を行うにあたって、そのマイクコントローラ３１が連結されている場合、そのマイクコントローラ３１のＰＴＴスイッチ３１３の操作を有効とすることで、前記予め定める操作を容易に行うことができる。なお、上述の例では、ＰＴＴスイッチ３１３は、マイクコントローラ３１、つまりタイピンマイク自体に設けられているが、タイピンマイクと無線機本体２とを結ぶケーブルの途中など、操作し易く、また顧客に操作が見え難い場所に設けられてもよい。
【００４５】
また、本発明は、個別呼出しの場合にも適用可能であるが、個別呼出しは自機への通話の希望であるので、確認（応答）する可能性が高く、これに対して、グループ通話の場合は、グループ内の総ての通話が聞こえるので、自機に関係の無い通話も多く、本発明による音量の低下やミュート、および自動復帰機能は、特に有効である。
【００４６】
無線機本体２は、上述のようにキャリアセンス機能とＰＴＴスイッチ２９，３１３とを備えていればよく、アナログ方式とデジタル方式との何れであってもよく、筐体２０の形状や、送信電力も特に問わない。
【符号の説明】
【００４７】
１    無線通信機
２    無線機本体
２０    筐体
２１    マイクロホン
２２    スピーカ
２３    表示パネル
２４    操作部
２５    アンテナ
２６    操作ツマミ
２６１  メカボリウム
２７    ジャック
２９    ＰＴＴスイッチ
３    イヤホンマイクセット
３１    マイクコントローラ
３１２  マイクロホン
３１３  ＰＴＴスイッチ
３１５  ケーブル
３１６  プラグ
３２    イヤホン
５    共用器
６    受信部
６２    同調回路
６３    復調回路
６４    キャリアセンス回路
７    音声出力部
７１    電子ボリウム
７３    切換えスイッチ
８    送信部
９    音量制御部
８１    切換えスイッチ
【図１】
0006314693.tif 000002
【図２】
0006314693.tif 000003
【図３】
0006314693.tif 000004
【図４】
0006314693.tif 000005
【図５】
0006314693.tif 000006